Podtech/llm-jp-corpus-v4-ja_patent huggingface dataset:
(57)【要約】      （修正有）【課題】人が寝た状態で長時間、楽にテレビを視聴できるようにしたテレビ台を提供する。【解決手段】薄型壁掛けテレビの設置台を斜め横向きに傾斜して作り、人が寝た状態の足元斜め上方の高い位置に設置してから薄型壁掛けテレビを取り付けることにより、長時間、楽にテレビを視聴できる。【選択図】図２
0003132235.tif 000002
【実用新案登録請求の範囲】
【請求項１】
薄型壁掛テレビの設置台を斜め横向きに傾斜させて作り、人が寝た状態の足元斜め上方の高い位置に取り付けることにより、人が寝た状態で長時間、楽にテレビを視聴できるようにしたものである。
【考案の詳細な説明】
【技術分野】
【０００１】  本考案は、寝たままテレビを楽に視聴できるように、テレビを斜め下方から視聴するように、壁掛け式薄型テレビのテレビ台を斜め横向きに傾斜させたテレビ台に関するものである。
【背景技術】
【０００２】  寝たままテレビを視聴することはほとんど困難である。壁掛けテレビにしても、普通に足元の壁面の高い位置の真正面に設置しても、寝たままでは長い時間視聴するのは困難である。
【考案が解決しようとする課題】
【０００３】  寝たきりの人や入院している人、また健康な人でも寝たままでテレビを視聴するのは困難である。従って、壁掛け式テレビを寝た状態の斜め下方から視聴することにより、楽にテレビを視聴できるようにしようとするものである。
【課題を解決するための手段】
【０００４】  寝たままでテレビを視聴する場合、壁掛け式テレビにして、身体の足元の垂直線上の高い位置に設置しても、極端に枕を高くしなければ視聴することができない。それでは長い時間テレビを視聴することができない。従って、本考案は、壁掛け式テレビを斜め横向きに設置てきるようににテレビ台を斜め横向きに傾斜をつけて作り、寝た状態の足元の斜め上方に設置することにより、枕を高くしなくても顔を少し横に向けるだけで、テレビを楽に視聴できるようにすることにより、寝た状態で長時間テレビを視聴できるようにしようとするものである。
【考案の効果】
【０００５】  上述のように、本考案は、壁掛け式テレビを寝た状態の斜め下方から視聴することにより、楽に長時間テレビを視聴できるので、寝たきりの人や入院している人、また健康な人でも寝た状態で長時間、楽にテレビを視聴できるので生活に潤いが得られるものである。
【考案を実施するための最良の形態】
【０００６】  本考案の本体は、ベッド等の足元斜め上方のできるだけ高い位置の壁面に設置し、市販の薄型テレビの取付け金具を取付けてから薄型テレビを取り付けるものとする。
【図面の簡単な説明】
【０００７】
【図１】本考案の金属製の正面図である。
【図２】金属製の上面図である。
【図３】金属製の下面図である。
【図４】金属製の右側面図である。
【図５】金属製の左側面図である。
【図６】本考案の木製の正面図である。
【図７】木製の上面図である。
【図８】木製の下面図である。
【図９】木製の右側面図である。
【図１０】木製の左側面図である。
【図１】
0003132235.tif 000003
【図２】
0003132235.tif 000004
【図３】
0003132235.tif 000005
【図４】
0003132235.tif 000006
【図５】
0003132235.tif 000007
【図６】
0003132235.tif 000008
【図７】
0003132235.tif 000009
【図８】
0003132235.tif 000010
【図９】
0003132235.tif 000011
【図１０】
0003132235.tif 000012
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
薄型壁掛けテレビの設置台を斜め横向きに傾斜させて作り、人が寝た状態の足元斜め上方の高い位置に設置することにより人が寝た状態で長時間、楽にテレビを視聴できるようにした斜め横向き壁掛けテレビ台。
(57)【要約】【課題】本考案は犬用二頭散歩用引き綱の各所金具、ストッパーを取り付け引き綱の絡みあいの防止、引き綱の長さ調整、一頭散歩時の余分な綱の結束等を簡便に対処できるようにしたものである。【解決手段】本考案は１本の引き綱の両端にナスカンを取り付け、取っ手の下部の角型スイベルの下段側にその綱を通し、二頭の犬が一本の引き綱で絡まずに散歩させることが出来るようにしたものである。また、休憩時の綱の結わえや一頭散歩時の余分な綱の結束も簡単に対処できる工夫をしたものである。【選択図】  図１
0003132234.tif 000002
【実用新案登録請求の範囲】
【請求項１】
二頭の犬を同時に散歩させる場合、二本の引き綱が必要でありその綱が絡みあったり、引き綱の長さに制限され犬の自由が制限されていた。引き綱の取っ手の下部に角型スイベルを取り付け、更に引き綱の両端にナスカンを取り付け犬がどのように動いても引き綱が絡むようなことは無くした。また、引き綱の両側についているストッパーで引き綱の長さの調節や一頭の散歩時に簡易に余分な綱を結束できるようにした。
【考案の詳細な説明】
【技術分野】
【０００１】
本考案は二頭引き引き綱に角型スイベル、ナスカン及び可動式ストッパーを取り付け引き綱の絡み、綱の長さの制御を簡素にしたものである。
【背景技術】
【０００２】
二頭の犬を散歩させる場合、一頭毎に引き綱をつけるか、二頭引きの綱で散歩をさせているが、引き綱が絡みあったり、綱の長さの制御が難しく飼い主が苦慮することが多かった。
【考案の開示】
【考案が解決しようとする課題】
【０００３】
二頭引きの引き綱で発生する引き綱の絡み合いをなくし、引き綱の範囲以内で引き綱の長さを自由に調整することが出来るようにする。また、一頭だけの散歩のときは余分な綱を簡単に結束できるようにする。
【課題を解決するための手段】
【０００４】
１本の引き綱（６）の両端にナスカン（１）を取り付け、取っ手（２）の下部の角型スイベル（３）の下段側にその綱を通し、二頭の犬が一本の引き綱で絡まずに散歩させることが出来る。
【０００５】
引き綱に可動式ストッパー（４．５）を取り付け、引き綱の長さを綱の範囲内で自由に調整できるようにした。
【０００６】
可動式ストッパーを利用し、一頭だけの散歩のときは余分な綱を簡単に結束できるようにした。
【考案の効果】
【０００７】
二頭の犬を同時に散歩させる場合、二本の引き綱が必要であり、引き綱どうしが絡みあったり、引き綱の長さに制限され犬の自由が制限されていた。考案した二頭引き引き綱では犬がどのように動いても引き綱どうしが絡むようなことはなく、また、引き綱の両側についているストッパーで引き綱の長さの調節ができるようにした。
【実施例】
【０００８】
二頭の犬を同時に散歩させる場合、引き綱の長さをストッパーで調節し両端のナスカンに犬の首輪をセットする。
【０００９】
取っ手（２）と、引き綱（６）は、角型スイベルで連結され自由な回転運動が出来るようにした。取っ手（２）にはバックル（７）を装着している。
【００１０】
散歩の途中に休憩のため綱をしばりたいときは、取っ手（２）に装着しているバックル（７）をはずし、ポール等に縛る事ができる様にした。
【００１１】
一頭だけで散歩するときは、
余分な綱側の可動式ストッパー（４）を使用する綱の長さを決めた位置に移動し、余分な綱側のナスカン（１）を角型スイベル（３）下部にフックし余分な綱を簡単に結束できるようにした。
【図面の簡単な説明】
【００１２】
【図１】本考案の犬用二頭散歩用引き綱である。
【図２】一頭の散歩時、引き綱結束図
【符号の説明】
【００１３】
１  ナスカン
２  取っ手
３  角型スイベル
４  可動式ストッパー
５  可動式ストッパー
６  引き綱
７  バックル
【図１】
0003132234.tif 000003
【図２】
0003132234.tif 000004
【手続補正書】
【提出日】平成19年2月25日(2007.2.25)
【手続補正１】
【補正対象書類名】実用新案登録請求の範囲
【補正対象項目名】請求項１
【補正方法】変更
【補正の内容】
【請求項１】
二頭の犬を同時に散歩させる場合、二本の引き綱が必要でありその綱が絡みあったり、引き綱の長さに制限され犬の自由が制限されるので、引き綱の取っ手の下部に角型スイベルを取り付け、更に引き綱の両端にナスカンを取り付け犬がどのように動いても引き綱が絡むようなことは無くし、また、引き綱の両側についているストッパーで引き綱の長さの調節や一頭の散歩時に簡易に余分な綱を結束できるようにした、犬用二頭散歩用引き綱。
(57)【要約】      （修正有）【課題】折り畳みできてしかもシンプルな側面保持ボードを提供する。【解決手段】筒状にしたシートの内側に方形の板を並列挿入して隣接する板相互のすき間で折り畳みできる状態にした折り畳みボードを、共通にした底辺と左右側のそれぞれ外側辺内側辺の三辺で三角型に構成して結合している。また、シートで内側に板をくるんだ状態のボードと組み合せている。【選択図】図１
0003132284.tif 000002
【実用新案登録請求の範囲】
【請求項１】
筒状にしたシートの内側に方形の板を並列挿入して隣接する板相互のすき間で折り畳みできる状態にした折り畳みボードを、共通にした底辺（１）と左右側のそれぞれ外側辺（２）内側辺（３）の三辺で三角型に構成して結合したことを特徴とする、側面保持ボード。
【請求項２】
シートで内側に板をくるんだ状態のボード（５）と組み合せた、請求項１記載の側面保持ボード。
【考案の詳細な説明】
【技術分野】
【０００１】  この考案は、各種用途を持つボードのボード立てや、マガジンラック、本立てなどとして利用する、側面保持ボードに関するものである。
【背景技術】
【０００２】  従来のものは、固定したかさばる容積を持つ衝立てや、あるいは折り畳める木質やスチールフレームにシートなどを組み合せたラックなどが一般的である。
【考案の開示】
【考案が解決しようとする課題】
【０００３】  従来のものでは、ボード類そのものが使用方法共に未開発で、それらを立てかける適当なボード立ては見あたらず、折り畳み式の隔て板などを見かける程度である。またラックは、ありふれたものが種々あるが、折り畳み式にしても構成が意外に複雑である。室内の小物として違和感なく調和して広く使用できる、しかも収納時にはかさばらないシンプルなものが求められる。この考案は、上記のような課題に答える技術を提供することを目的としている。
【課題を解決するための手段】
【０００４】  この考案は、上記課題に対して次のような手段を取っている。即ち、筒状にしたシートの内側に方形の板を並列挿入して隣接する板相互のすき間で折り畳みできる状態にした折り畳みボードを、共通にした底辺と左右側のそれぞれ外側辺内側辺の三辺で三角型に構成して結合している。また、シートで内側に板をくるんだ状態のボードと組み合せている。
【考案の効果】
【０００５】  この考案によると、いずれも筒状にしたシートの内側に方形の板を並列挿入するという、実に簡単な手法で折り畳みできる状態にした、一体に連続した折り畳みボードを基本にして構成している。この手法は丁番などの折り畳み機構を不要としたシンプルな構成となり、製作も簡単で、意匠的にもすぐれている。また、左右両側を合理的な三角型に結合した構成にしているので、軽量かつシンプルな形態を基本に持っている。しかも三角型の結合は簡単に取りはずして、偏平に畳んで収納することができる。ボード立てに利用すると、例えば飾りパネル、掲示板、画板、テーブル板、ついたて、あるいは小物類の整理収納ボードなど、種々の用途を持ったボードの活用を促進することになり、マガジンラックを含めて、シンプルな構成ゆえの意匠効果も大である。また、シートは板から着脱容易にしているので、洗濯取り替えが容易で、長期使用に耐えられる。
【考案を実施するための最良の形態】
【０００６】  以下、側面保持ボードの実施例について図面により説明する。
【実施例１】
【０００７】  図１は、ボード立てとした実施例を示す斜視図である。筒状にしたシートの内側に方形の板を並列挿入することで隣接する内側の板相互のすき間で折り畳みできる状態にした、一体に連続した折り畳みボードを基本にして構成している。上記の折り畳みボードを、底辺１を共通にして、その左右側にそれぞれ外側辺２と内側辺３の三辺で三角型を形成するように折り畳み、端部に一体に設けた結合辺４を底辺１と重ねて小ネジで結合し固定している。それぞれの各辺は挿入した板が硬い折り畳みの面を形成して安定している。外側辺２を斜めにして内側辺３を垂直にした左右の三角型に挟まれた中央部が垂直スリットを形成することでボード立てに供している。垂直スリットの左右方向の巾は、予定するボード厚や枚数、あるいは補助的に添えるボードにより設定する。また端部の結合辺４は、折り畳みできる板状体にしているが、内側辺３にアングルピースなどを取りつけてこれに置き換えてもよい。結合部分は種々考えられる。
【実施例２】
【０００８】  図２は、マガジンラックとした実施例を示す斜視図である。一体に連続した折り畳みボードの内側辺３を左右に斜めにして中央のスリットを開き、マガジンやそれらをさし入れるポケットを備えた添えボードなどを保持する状態で固定している。その他は実施例１の図１と同様である。
【実施例３】
【０００９】  図３は、この考案のボード立てに、シートで内側に板をくるんだ状態で小物や雑誌などを入れるポケットを設けたボード５やその他のボードを、立てかけた実施例を示す姿図である。シートで板をくるむことで、さまざまな材質の板を内側に使用できる。しかも、ボード立てと一体的に調和した意匠で組み合せることができる。また、シートで板をくるむことで小物類の整理用ポケットなどさまざまの意匠をこらした各種用途を持つボードを用意することができる。
【図面の簡単な説明】
【００１０】
【図１】  本考案の実施例１を示す斜視図である。
【図２】  本考案の実施例２を示す斜視図である。
【図３】  本考案の実施例３を示す姿図である。
【符号の説明】
【００１１】    １    底辺
２    外側辺
３    内側辺
５    ボード
【図１】
0003132284.tif 000003
【図２】
0003132284.tif 000004
【図３】
0003132284.tif 000005
(57)【要約】      （修正有）【課題】着火した線香を起立状態で使用することができる線香スタンドを提供する。【解決手段】網台２上に欄干状の柵４・５・６・７を設けてなり、かつ前記柵４・６及び柵５・７の間隔は、両柵４・６と５・７の間に線香を差し込んだとき、同線香を起立状態に保持する大きさを有していることを特徴とする線香スタンド。【選択図】図２
0003132281.tif 000002
【実用新案登録請求の範囲】
【請求項１】
網台２上に欄干状の柵４・５・６・７を設けてなり、かつ前記柵４・６及び柵５・７の間隔は、両柵４・６と５・７の間に線香を差し込んだとき、同線香を起立状態に保持する大きさを有していることを特徴とする線香スタンド。
【考案の詳細な説明】
【技術分野】
【０００１】  本考案は、線香スタンドに関するものである。
【背景技術】
【０００２】  申請中の実願２００６−５５９９の線香は、着火して横に倒して使う方法のみで、起立した状態での使用は、その機能を持たない為に、それが出来なかった。
【考案の開示】
【考案が解決しようとする課題】
【０００３】  本考案は、上記問題点を解決することを課題とする。
【課題を解決するための手段】
【０００４】  網台２上に欄干状の柵４・５・６・７を設けてなり、かつ前記柵４・６及び柵５・７の間隔は、両柵４・６と５・７の間に線香を差し込んだとき、同線香を起立状態に保持する大きさを有している。
【考案の効果】
【０００５】  上述の如くであるから、起立した状態での使用が可能になった。【０００６】  起立状態での使用は、着火した線香の火が等間隔で空間に展開する様は、造形美であり美しく映えることから、此れによって供する心が豊かになる。【０００７】  起立状態での使用は、着火した線香３内の間隔８に煙突効果で、空気を高率良く吸いあげて、貼り付けシート９をも燃焼しきってしまい、燃え残しを後に残さず、環境に優しいものになった。
【考案を実施するための最良の形態】
【０００８】  図１・２・３・４は、第一実施例で、線香を起立状態に出来るようにした。【０００９】  図５・６は第二実施例で衝立て９衝立て１０により、線香を起立状態に出来るようにした。
本考案は実施形態に限定されるものではなく、基本の形状及び材質、構成手段等、適宜設計変更できるものである。
【図面の簡単な説明】
【００１０】
【図１】  第一実施例の平面図
【図２】  第一実施例の一部断面図と線香図のある正面図
【図３】  第一実施例の一部断面図のある右側面図
【図４】  第一実施例の下面拡大図
【図５】  第二実施例の線香図のある正面図
【図６】  第二実施例の一部断面図のある右側面図
【符号の説明】
【００１１】        １  灰受け皿
２  網台
３  線香
４  柵
５  柵
６  柵
７  柵
８  間隔
９  貼り付けシート
１０  衝立て
１１  衝立て
【図１】
0003132281.tif 000003
【図２】
0003132281.tif 000004
【図３】
0003132281.tif 000005
【図４】
0003132281.tif 000006
【図５】
0003132281.tif 000007
【図６】
0003132281.tif 000008
(57)【要約】      （修正有）【課題】外観はなんら従来の保護衣類と変わらず、作業中に接する水やその他の液体が使用者の着衣に達することなく、濡れや汚れから着衣を保護する。【解決手段】エプロンや白衣等の保護衣類の前側の裏部分に、防水性のあるシートまたは布を、面ファスナーで着脱自在に取り付け、かつ、前記防水性のあるシートまたは布が着用状態では見えない大きさ及び形状とした。白衣等の袖付きの衣類では空気が循環しにくくなり、蒸れ易く不快な場合があるので、これを解決するために前記防水性のあるシートまたは布に防水透湿性素材を使用した。【選択図】図１
0003132285.tif 000002
【実用新案登録請求の範囲】
【請求項１】
濡れや汚れから使用者の着衣を護るために着用する保護衣類であり、該保護衣類の前側の裏部分に、防水性のあるシートまたは布を、面ファスナーで着脱自在に取り付け、かつ、前記防水性のあるシートまたは布が着用状態では見えない大きさ及び形状であることを特徴とする保護衣類。
【請求項２】
前記防水性のあるシートまたは布が、耐水度（ＪＩＳ  Ｌ１０９２  静水圧法）２０００ｍｍ以上かつ透湿度（ＪＩＳ  Ｌ１０９９  Ａ１法）４００ｇ／ｍ２・ｈ以上を満足する防水透湿性素材であることを特徴とする請求項１に記載した保護衣類。
【考案の詳細な説明】
【技術分野】
【０００１】  本考案は、エプロンや白衣や予防衣など、使用者の着衣を液体による濡れや汚れから保護するための保護衣類に関する。
【背景技術】
【０００２】  エプロンや白衣などで、表面に防水性を持たせたものや、表面に使い捨てのシートを取りつけたものが考案されている。【０００３】  表面に防水性を持たせたエプロンなどは、液体が表面に付くと足元まで液体が垂れて足元が汚れるし、見た目にも実際に触れた感触も冷たく、家事や介護施設や病院で広く使用するには問題があった。【０００４】  これを解決する手段として、表面に使い捨てのシートや紙を着脱自在に取りつける方法が考案されているが、資源の無駄になるし外観も自然ではなくなる。
【特許文献１】実登３１２５５８１号
【特許文献２】実登３０７９６６１号
【考案の開示】
【考案が解決しようとする課題】
【０００５】  本考案は、外観はなんら従来の保護衣類と変わらず、作業中に接する水やその他の液体が使用者の着衣に達することなく、濡れや汚れから着衣を保護することを目的とする。
【課題を解決するための手段】
【０００６】  エプロンや白衣等の保護衣類の前側の裏部分に、防水性のあるシートまたは布を、面ファスナーで着脱自在に取り付け、かつ、前記防水性のあるシートまたは布が着用状態では見えない大きさ及び形状としたものである。【０００７】  また、白衣等の袖付きの衣類では空気が循環しにくくなり、蒸れ易く不快な場合があるので、これを解決するために前記防水性のあるシートまたは布に防水透湿性素材を使用する。
【考案の効果】
【０００８】  エプロンや白衣等の保護衣類の前側の裏部分に、防水性のあるシートまたは布（以下、防水シートと略す）が着脱自在に取りつけてあるので、エプロンや白衣等の表側は従来と同じように濡れたり汚れたりするが、液体は防水シートで浸入を防がれ使用者の着衣まで達することはない。
また、一般的にエプロンや白衣の生地は綿素材が主なので、液体をある程度吸収でき、すぐに足元にしたたり落ちることを防ぐことができる。【０００９】  外観は従来の保護衣類となんら変わることはなく、無機質な印象を与えない。
また触っても従来の保護衣類と変わらず暖かみがあるので、例えば被介護者に不快な印象を与えず、介護者にとっては汚れが自分の着衣を汚す心配がないので、精神的ストレスを低減することができる。【００１０】  汚れた場合には、防水シートを引っ張って面ファスナーを外せば、エプロンや白衣は従来と同様の洗濯が可能であり、防水シートは短時間の洗濯と乾燥で再使用できる状態になる。【００１１】  白衣等の袖付きの衣類に透湿性のない防水シートを装着すると蒸れ易くなり不快な場合があるが、防水シートに防水透湿性素材を使用することにより、蒸れによる不快感を大幅に改善することができる。
【考案を実施するための最良の形態】
【００１２】  考案を実施するための最良の形態について、図１〜図２を用いて説明する。
図１は、本考案によるエプロンを裏側から見た図である。
図２は、本考案によるエプロンの表側から見た図である。【００１３】  装着した際にエプロン１の前と横になる部分の裏側に、防水性のあるシートまたは布２を面ファスナー３で着脱自在に取り付けてある。【００１４】  防水シート２は、装着した際に最も汚れやすい部分をカバーし、かつ他人から見えないように、取りつけた高さ、幅、長さが決められている。【００１５】  面ファスナーは最低限の取付け数で防水シートの着脱を容易にし、かつ防水シートが使用中に外れず、エプロンの脱ぎ着の際に邪魔にならないように、上下左右の辺上の３点に取付け、計８個所とした。【００１６】  上記の例は袖無しのエプロンなので透湿性のない防水シートでも蒸れることはまれであるが、袖付きのエプロンや白衣（図示しない）の前面内側に透湿性のない防水シートを装着すると、夏季には蒸れて不快になる場合がある。
これを解決するために、防水シートとして防水透湿性素材を採用した。【００１７】  上記防水透湿シートは、耐水度（ＪＩＳ  Ｌ１０９２  静水圧法）２０００ｍｍ以上、透湿度（ＪＩＳ  Ｌ１０９９  Ａ１法）４００ｇ／ｍ２・ｈ以上とした。
上記に決めた理由は、本考案による保護衣類は常に液体にさらされる使用環境ではないことにより、耐水度をやや低下させて透湿度を高くした方が保護衣類としての機能を満足しつつ、かつ快適に着用できるからである。
【図面の簡単な説明】
【００１８】
【図１】本考案によるエプロンを裏側からみた図である。
【図２】本考案によるエプロンを表側から見た図である。
【符号の説明】
【００１９】  １    エプロン
２    防水性のあるシートまたは布
３    面ファスナー
４    肩紐
５    腰紐
６    ポケット
【図１】
0003132285.tif 000003
【図２】
0003132285.tif 000004
(57)【要約】      （修正有）【課題】脱毛した頭皮など皮膚に接触する部分に違和感を感じたり、皮膚が荒れたりするのを回避する。【解決手段】帯状に整列させた人工毛の端部を接着して、その端部を包み込むように表裏両面に、布地を帯び状に縫いつけて固定した布付人工毛。【選択図】図１
0003132287.tif 000002
【実用新案登録請求の範囲】
【請求項１】
帯状に整列させた人工毛の端部を接着して、その端部を包み込むように表裏両面に、布地を帯び状に縫いつけて固定した布付人工毛。
【考案の詳細な説明】
【技術分野】
【０００１】  本考案は、かつらやヘアピース等の製作に使用する人工毛に関するものである。
【背景技術】
【０００２】  今日まで、かつらの下地にはネットなどが使われておりそれに植毛するようなものが多かった。
【考案の開示】
【考案が解決しようとする課題】
【０００３】  脱毛した頭皮などは、皮膚に接触する部分に違和感を感じたり皮膚が荒れたりして大変苦労をしていた。
【課題を解決するための手段】
【０００４】  帯状に整列させた人工毛の端部を接着して、その端部を包み込むように表裏両面に、布地を帯び状に縫いつけて固定した布付人工毛。
【考案の効果】
【０００５】  人工毛の根元を、布で覆っているので肌に直接さわっても違和感が少なく通気性もよく結合もしやすい。
【考案実施するための最良の形態】
【０００６】  以下、本考案の実施の形態について説明する。
縦向きの人口毛（１）をよこに帯状にならべ、先端をシリコン系の柔らかな接着剤で固定（２）させ、外面に帯状に布地（３）を縫いつけた布付人工毛である。
【図面の簡単な説明】
【０００７】
【図１】本考案の斜視図
【図２】本考案の正面図
【図３】本考案の側面図
【符号の説明】
【０００８】  １は人工毛
２は接着部
３は布地
４縫い目
【図１】
0003132287.tif 000003
【図２】
0003132287.tif 000004
【図３】
0003132287.tif 000005
(57)【要約】      （修正有）【課題】模型ホバークラフトのスカートにおいてスカートに前縁布状整流スカートと後縁布状整流スカートを取り付けることで、スカート後部の抵抗を軽減し、さらにスカート前部を浮上させることで、スムーズな走行を可能とする。【解決手段】スカート底面の前部に前縁布状整流スカートを取り付ける。スカート底面の後部に後縁布状整流スカートを取り付ける。【選択図】図１
0003132290.tif 000002
【実用新案登録請求の範囲】
【請求項１】
模型ホバークラフトの前進速度向上や、地面や水面の抵抗の影響によるホバークラフトの前傾を防ぐために、スカート底面の前部に取り付ける図１−Ｅの前縁布状整流スカート。
【請求項２】
模型ホバークラフトの前進速度向上や、地面や水面の抵抗の影響によるホバークラフトの前傾を防ぐために、スカート底面の後部に取り付ける図１−Ｆの後縁布状整流スカート。
【考案の詳細な説明】
【考案の明細な説明】
【産業上の利用分野】
【０００１】今考案は模型ホバークラフトに関するものである。
【背景技術】
【０００２】ホバークラフトは、スカート内の空気圧を高め、船体（スカート全体）を地面や水面から若干浮上させる事で対地（水）抵抗をなくし、前進方向へ推進力を与える事で推進する。
このとき、地面の凹凸や水面の波などがスカートに部分的に接触し、それが走行の妨げとなる有害抵抗になる。
特に、速度が上がってくると後部スカートには、内側から水しぶきや土、石などの当たる量が増え、大きな抵抗となる。
また、前進速度が上がると、スカート底面を流れる空気の流れもスカート後部に当たる。（図２−Ｂ）
それらの抵抗が、走行中、ホバークラフトを前傾させようとする力となって前部スカートを地面や水面に押し付けようとする。
その力が、ある程度増えてくるとスカート内の空気圧力により噴出す空気の流れ（図２−Ａ）を塞いでしまい、前部スカートを浮き上がらせようとする力も急激になくなってしまう。
前部スカートが押さえつけられると、地面や水面に接触する部分が増えさらに有害抵抗となるばかりでなく、波や障害物を乗り越える妨げにもなってしまう。
この状態では、いくら大推力の動力を搭載しても走行速度がなかなか上がらないのである。
また、前傾の状態で旋回をするとスムーズな旋回が出来ないばかりでなく、前部が引っかかって転倒してしまう事もある。
【発明が解決しようとする課題】
【０００３】本考案が解決しようとする課題は、後部スカートの抵抗を軽減し、さらに前部スカートを浮上させることで、スムーズな走行を可能とすることである。
【課題を解決するための手段】
【０００４】スカート底面の前部に図１−Ｅの前縁布状整流スカートを図３−アの位置に取り付ける。
スカート底面の後部に図１−Ｆの後縁布状整流スカートを図３−イの位置に取り付ける。
【作用】
【０００５】前方から進入するスカート底面を流れる空気（図１−Ｇ）は、前縁布状整流スカート（図１−Ｅ）によってスムーズにスカート内に導かれる。
この作用によって、スカート内の空気圧に関係なくスカート前部を浮上させることが出来る。
さらに、スカート内の空気圧力により噴出す空気の流れ（図１−Ａ）も前縁布状整流スカート（図１−Ｅ）によって、スカート内に戻され、スカート前部付近の気圧を高める事が出来るため、より前部スカートを浮上させる事が出来るようになる。
また、スカート底面を流れる空気や水しぶきなどの抵抗を発生させる物は、後縁布状整流スカート（図１−Ｆ）によってスムーズにスカートにあたり、有害抵抗は最小限にとどめられる。（図１−Ｂ）
【実施例】
【０００６】前縁布状整流スカート（図１−Ｅ）と後縁布状整流スカート（図１−Ｆ）は、スカートを多い被せるように設置することで、スカートを摩擦や地面とこすれることによる破損から守る事が出来る。
さらに前縁布状整流スカート（図１−Ｅ）と後縁布状整流スカート（図１−Ｆ）の両方、又はどちらか一方をゴムシートやプラスチックシートにすることで、そのものの耐久性を高める事が出来るし、スカート本体を保護する効果も高められる。
前縁布状整流スカート（図１−Ｅ）と後縁布状整流スカート（図１−Ｆ）の両方、又はどちらかを、金属や強化プラスチックのような強度のある板状のもので作成することで、更なる耐久性の向上を実現できる。
【発明の効果】
【０００７】本考案を実施することにより、スカート底面を流れる空気の流れをうまく利用でき、有害抵抗も低減出来るため、走行速度の向上や、旋回性能の向上が可能となる。
さらに、スカートの耐久性も向上させることが出来るのである。
【図面の簡単な説明】
【図１】前縁布状整流スカートと後縁布状整流スカート取り付けたホバークラフトの説明図  Ａ  スカート内の空気圧力により噴出す空気の流れ  Ｂ  後縁布状整流スカートによって整流される空気の流れ  Ｃ  スカート  Ｄ  舟艇  Ｅ  前縁布状整流スカート  Ｆ  後縁布状整流スカート  Ｇ  前方から進入するスカート底面を流れる空気
【図２】従来のホバークラフトの側面図  Ａ  スカート内の空気圧力により噴出す空気の流れ  Ｂ  スカート後部に当たるスカート底面を流れる空気の流れ  Ｃ  スカート  Ｄ  舟艇
【図３】前縁布状整流スカートと後縁布状整流スカートの取り付けにおいてスカートを裏面から見た斜視図  ア  前縁布状整流スカートの取り付け位置  イ  後縁布状整流スカートの取り付け位置  Ｃ  スカート  Ｄ  舟艇  Ｅ  前縁布状整流スカート  Ｆ  後縁布状整流スカート
【図１】
0003132290.tif 000003
【図２】
0003132290.tif 000004
【図３】
0003132290.tif 000005
(57)【要約】      （修正有）【課題】草刈作業中に刈払機に草が巻き付いてしまわないようにする。【解決手段】草巻き付き防止回転刃に、巻き付く草を撥ね退ける為の草除け用の紐を外向きに取り付け、回転刃の取り付け角度を上下方向に角度をつける。【選択図】図１
0003132229.tif 000002
【実用新案登録請求の範囲】
【請求項１】
刈払機の刈刃の上に取り付ける、刈払機の回転軸に巻き付こうとする草を撥ね退けるためのナイロンコードが外向きに付いている回転刃。
【請求項２】
刈払機の刈刃の上に取り付ける、刈払機の回転軸に巻き付こうとする草を切断するための、４５度の角度の付いた刃を備えた回転刃。
【考案の詳細な説明】
【技術分野】
【０００１】本考案は、草刈機に取り付け、作業機能を向上させる草巻き付き防止回転刃に関するものである。
【背景技術】
【０００２】従来の草巻き付き防止回転刃は、草刈機の回転軸や草巻き付き防止回転刃に草が巻き付いていた。
【考案の開示】
【考案が解決しようとする課題】
【０００３】１）  従来の草巻き付き防止回転刃は、草刈作業中に、草刈機の回転軸と回転刃に草が巻き付くことが多く、作業効率が悪い。また、草が巻き付くことで、草刈機の機関部に負担がかかり、草刈機の寿命を縮める。
２）  従来の草巻き付き防止回転刃は、刃の角度が水平なので、草刈機の回転軸に巻き付く草を切断できないことが多い。
【課題を解決するための手段】
【０００４】１）  巻き付く草を撥ね退けるための紐を外向きに取り付ける。
２）  回転刃の角度を上下方向に角度をつける。
【考案の効果】
【０００５】１）  従来の草巻き付き防止回転刃に比べて、草除け用の紐が、巻き付く草を撥ね退けるので、草刈刃の回転が円滑になり、草刈作業の効率が飛躍的に良くなる。また草刈機の機関部に負担がかからず、草刈機の寿命が延びる。
２）  従来の草巻き付き防止回転刃に比べて、回転刃の角度が上下方向に角度がついているので草が刃に当たりやすく、巻き付く草を容易に切断できる。
【考案を実施するための最良の形態】
【０００６】本考案に係る草巻き付き防止回転刃１は、図１に示すように、本体中心の装着部２に窪みが形成されており、図３のように刈払機の回転軸ｂと草刈刃ａの間に装着される。そして本体上端部の円周に沿って上下方向に角度のついた刃３が形成されている。また本体の円筒形の部分に紐を通す穴４があけられ、この穴に草除け用の紐５が外側に向けて通して装着される。草除け用の紐は、本体の対極位置に取り付けられ、草刈作業中に本体に巻き付こうとする草を撥ね退けるために本体の外周より外側に出る長さの紐が取り付けられている。本体及び刃部の素材は、草刈作業の効率を良くするために薄く軽い金属で形成され、また屋外で使用するため、風雨によって腐食しにくく、高速で回転しながら硬い草に当たっても変形しない素材が望ましい。草除け用の紐の素材についても、風雨によって腐食しにくく、高速で回転しながら硬い草に当たっても磨耗しにくい素材が望ましい。
【図面の簡単な説明】
【０００７】
【図１】本考案に係る草巻き付き防止回転刃の平面図である。
【図２】本考案に係る草巻き付き防止回転刃の断面図である。
【図３】本考案に係る草巻き付き防止回転刃を刈払機の刈刃の上に装着した状態の断面図である。
【図４】草刈刃を取り付けた刈払機の断面図である。
【符号の説明】
【０００８】１    草巻き付き防止回転刃
２    装着部
３    刃
４    紐を通す穴
５    草除け用紐
ａ    草刈刃
ｂ    回転軸
【図１】
0003132229.tif 000003
【図２】
0003132229.tif 000004
【図３】
0003132229.tif 000005
【図４】
0003132229.tif 000006
【手続補正書】
【提出日】平成19年2月21日(2007.2.21)
【手続補正１】
【補正対象書類名】実用新案登録請求の範囲
【補正対象項目名】全文
【補正方法】変更
【補正の内容】
【実用新案登録請求の範囲】
【請求項１】
刈払機の刈刃の上に取り付ける、刈払機の回転軸に巻き付こうとする草を撥ね退けるための丈夫な細い紐が外向きに付けられている回転刃。
【請求項２】
刈払機の刈刃の上に取り付ける、刈払機の回転軸に巻き付こうとする草を撥ね退けるための回転刃で、刈払機の回転軸に巻き付こうとする草を切断するための、上下方向に角度の付いた刃を備えていることを特徴とする請求項１記載の回転刃。
(57)【要約】      （修正有）【課題】変速機付の自転車及び、ＣＴＢ車に従来の補助車輪を取り付ける。【解決手段】後輪ハブ軸４に固定用スペーサーナット３と、補助車輪取り付け用ボルト２を取り付け、後ろハンガー１０と補助車輪１１の間にスペースを作り、補助車輪取り付け用ボルト２にブラケットステー孔１Ａを挿入し、後ろフレーム９にブラケットステー固定用バンド６を使い、ブラケットステー孔１Ｂを挟み込むようにブラケットステー固定用ボルト７とブラケットステー固定用ナット８で吊り下げて固定することによって、ブラケットステー１が変速機５の外側に変速機の無い自転車の後ろハンガーのような機能、形状が追加されるので従来の補助車輪１１を補助車輪取り付け用ボルト２に補助車輪固定用ナット１３で取り付け出来る。【選択図】図２
0003132224.tif 000002
【実用新案登録請求の範囲】
【請求項１】
（１）従来型の子供用補助車輪は変速機付の自転車、ＣＴＢ車に取付ける事が出来なかったが今回発明した、ブラケットステーを使用する事で取付けが可能になった。
（２）ブラケットステーは、補助車を平面に安定して取付ける機能と廻り止めの機能を備えている。
（３）ブラケットステーを二箇所で固定する、一箇所は後輪ハブ軸もう一箇所はフレームに吊り下げ回転防止バンドで固定する。
（４）変速機を避けブラケットステーを取り付ける為に後輪ハブ軸にスペーサーを取り付ける、このスペーサーは六角ナットを使用し同時に後輪ハブ軸を固定する機能を備えている。
（５）ブラケットステーを含め使用する部品はバランス良く左右同じ部品を使用できる。
【考案の詳細な説明】
【技術分野】
【０００１】変速機のない自転車用の補助車輪を、変速機付自転車及びＣＴＢ車に取り付け出来る様に発明した、ブラケットステーと各部品との組み合わせに関する。
【背景技術】
【０００２】従来の補助車輪は、後輪ハブ軸とハブナットを利用して取り付ける技術と後ろフレームにボルトを溶接し、そのボルトに補助車輪をナットで取り付ける技術があった。
【考案の開示】
【考案が解決しようとする課題】
【０００３】従来の補助車輪を変速機付の自転車に取り付けようとすれば、変速機がフレームの外側に有り取り付け出来なかった、又フレームとの取り付け面も平面でなく補助車輪の固定が不安定で廻り止めも困難であった。
【課題を解決するための手段】
【０００４】変速機を避けるためにスペーサーを使用します、このスペーサーをナットにし後輪ハブ軸を固定する役割も兼ね備えます、このスペーサーをナットにしたことで補助車輪固定用のボルトが挿入できます、次にブラケットステーを補助車輪固定ボルトに取り付けもう一方をフレームに固定用バンドで吊り下げるように固定します、この様にする事でブラケットステーが変速機のない自転車の後ろハンガーと同じような形になり従来型の補助車輪の取り付けを可能にした。
【考案の効果】
【０００５】ブラケットステーと以上の部品を組み合わせることに依り、従来の補助車輪を変速機付き自転車、ＣＴＢ車に取り付けることが可能になった。ブラケットステーは補助車輪を加工するのではなく、従来の自転車の後ろハンガーを変速機の外側に新たに追加した形になり、形状も左右が同じなのでバランスも良い。
【考案を実施するための最良の形態】
【０００６】自転車用補助車輪を取り付けるときに、変速機が干渉せず廻り止めの機能を備え、取り付け箇所が安定していること。
【実施例】
【０００７】フレームに、新たに補助車輪を取り付けが出来るようなブラケットステーを溶接する方法。【０００８】フレームに穴を開けボルトとナットでブラケットステーを固定する方法。【０００９】フレーム自体を改良し従来の取り付け方が出来る方法。
【産業上の利用可能性】
【００１０】
【図面の簡単な説明】
【００１１】
【図１】「請求項１の斜視図である。」
【図２】「補助車輪を取り付けた平面図である。」
【符号の説明】
【００１２】１ブラケットステー
２補助車輪取り付け用ボルト
３スペーサーナット
４後輪ハブ軸
５変速機
６ブラケットステー固定用バンド
７ブラケットステー固定用ボルト
８ブラケットステー固定用ナット
９後ろフレーム
１０後ろハンガー
１１補助車輪
１２後輪タイヤ
１３補助車輪固定用ナット
１Ａブラケットステー孔
１Ｂブラケットステー孔
【図１】
0003132224.tif 000003
【図２】
0003132224.tif 000004
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
外装変速機付自転車の補助車輪取り付け装置において、
（１）後ろハブ軸よりスペーサーを設け、スペーサーに補助車輪取り付けボルトを設ける、
（２）後ろフレームよりブラケットステー固定用バンドを設ける、
（３）補助車輪取り付けボルト、ブラケットステー固定用バンドよりブラケットステーを設ける、
（４）前記ブラケットステーは、大小２箇所の固定用孔が有り、２箇所の孔の間を曲げ加工した形成である、
以上からなる補助車輪取り付け装置。
(57)【要約】      （修正有）【課題】ネクタイを結んだ際に結び目と大剣部の色、柄が異なるネクタイを提供する。【解決手段】ネクタイの大剣部と結び目から小剣部にかけて、それぞれに違う色、柄を使用することで、ネクタイを結んだとき、大剣部と結び目が異なるよう構成したネクタイ。【選択図】図１
0003132221.tif 000002
【実用新案登録請求の範囲】
【請求項１】
ネクタイの大剣部と結び目から小剣部にかけて、それぞれに違う色、柄を使用することで、ネクタイを結んだとき、大剣部と結び目が異なるよう構成したネクタイ
【請求項２】
請求項１のネクタイの大剣部の長さは、ネクタイを着ける人により、身長が違う事もあることから、予め、大剣部の色、柄を使用する長さは違う様設定しておく。
【考案の詳細な説明】
【技術分野】
【０００１】  本考案は、ネクタイを結んだときの大剣部と結び目の色、柄が異なる配色にしたものに関する。
【背景技術】
【０００２】  従来のネクタイは、大剣部と結び目、小剣部の表生地面が同じ、色、柄を使用していることで、結んだ場合でも同様の１種類の配色となってしまう。
【考案の開示】
【考案が解決しようとする課題】
【０００３】上記の如く、従来技術に係わるネクタイを結んだ場合は、１種類の色、柄の単色である。【０００４】  考案の目的は、ネクタイの装飾という点で従来のネクタイを結んだ場合は、１種類だけの色、柄であるため、多様な装飾を求めれば結び目と大剣部が２種類の異なる色、柄のネクタイを必要とした。
【課題を解決するための手段】
【０００５】  本考案では、ネクタイの大剣部と結び目から小剣部の表生地面が、それぞれに異なる色、柄を使用することで、ネクタイを結んだとき、大剣部と結び目が２色の異なる色、柄で構成したネクタイ。【０００６】  また、ネクタイを着ける人により、身長が違う事から、ネクタイを結んだとき大剣部に小剣部の配色が混じる事や、結び目に大剣部の配色が混じる事もある事から、大剣部を身長にあわせて長く、もしくは短く設定しなくてはいけない場合があり、予め、大剣部の色、柄を使用する長さの違うものを複数の種類を作成しておく必要がある。これにより着ける人の身長にあわせて自由に選択できる。
【考案の効果】
【０００７】  本考案のネクタイは、従来技術のネクタイを結んだ場合の装飾は、単色しかなく、首元の結び目が大剣部の色、柄が異なる事で、首元が引き立つための効果がある、また今までない色、柄を相互に組み合わせる事で、多様な装飾を求めれれるという利点がある。
【考案を実施するための最良の形態】
【０００８】  以下、本考案を図面に基づき詳細に説明する【０００９】  図１に表すように、１の大剣部と２の結び目から３の小剣部との色、柄、生地が異なるように製造する事で、図２に表すようにネクタイを結んだときの結び目が、大剣部と違う色、柄になるものである。
【図面の簡単な説明】
【００１０】
【図１】本考案のネクタイの正面図である
【図２】図１の結んだ場合の正面図である
【符号の説明】
【００１１】１  大剣部
２  結び目
３  小剣部
【図１】
0003132221.tif 000003
【図２】
0003132221.tif 000004
【手続補正書】
【提出日】平成19年2月20日(2007.2.20)
【手続補正１】
【補正対象書類名】実用新案登録請求の範囲
【補正対象項目名】全文
【補正方法】変更
【補正の内容】
【実用新案登録請求の範囲】
【請求項１】
ネクタイの大剣部と結び目から小剣部にかけて、それぞれに違う色、柄を使用することで、ネクタイを結んだとき、大剣部と結び目が異なるよう構成したネクタイ。
【請求項２】
請求項１のネクタイの大剣部の長さは、ネクタイを着ける人により、身長が違う事もあることから、大剣部の色、柄を使用する長さを予め違う様、設定しておくことを特徴とした請求項１記載のネクタイ。
(57)【要約】      （修正有）【課題】宣伝効果の高いテレビガイドブックを提供する。【解決手段】テレビ番組予定表と一般広告を合体し、２週間分のテレビ番組と一般広告を１冊にマトメ、表紙は、カラー写真をつけ、１，３，５，７，９，１１，１３ページ目にはテレビ番組予定表を、２，４，６，８，１０，１２，１４ぺージは一般広告を掲載する。場合によってはページの取り合い位置は逆の場合もある。又、曜日別にカラー分けし文面は２色を刷り込む。【選択図】図１
0003132228.tif 000002
【実用新案登録請求の範囲】
【請求項１】
テレビ番組予定表と、一般広告を一冊にしたテレビガイドブックであって、
左右２ページでの単位構成において、一方のページにテレビ番組表が、もう一方のページに広告内容が掲載され、一冊に一週間のテレビ番組予定表が収録されている事を特徴とするテレビガイドブック。
【考案の詳細な説明】
【技術分野】
【０００１】
本考案は、テレビ番組と一般広告が掲載されたテレビガイドブックに関する。
【背景技術】
【０００２】
現在市場では、テレビ番組は新聞や雑誌に掲載されて市販され、有料である。また、一般広告は、一日で廃棄されてしまう。
【考案の開示】
【考案が解決しようとする課題】
【０００３】
テレビ番組表が掲載された新聞や雑誌は有料であり、ユーザーの金銭的負担が大きい。また、新聞は一日で廃棄されるため、広告の宣伝効果は少ない。
【課題を解決するための手段】
【０００４】
本考案は、テレビ番組表と、一般広告を一冊にしたテレビガイドブックであって、左右２ページでの単位構成において、一方のページにはテレビ番組表が、もう一方のぺージに広告内容が掲載され、一冊に二週間のテレビ番組予定表が収録されている事を特徴とする。
【考案の効果】
【０００５】
本考案によれば、テレビ番組表が有効な期間中、広告がユーザーの目に留まることとなり広告の滞留時間が長く、宣伝効果が多大になる。
【考案を実施するための最良の形態】
【０００６】
１．表紙は、しまなみ街道の写真、他・・風景写真を載せる。
２．本誌サイズは、縦：３６４ｍｍ×横：２６２ｍｍ又は縦：２９７ｍｍ×横：２１１ｍｍを使用する。
３．発刊日は、基本的に、２週に１回（無料）配布する。
４．色使いは、タイトルはカラーで週ごとに色を変える。
５．一般家庭への配布は高齢者の方に優先的に、有料にて、お願いし、人員不足については一般の人に、有料支払いにて対応
６、左右、２ページを見開きにして、一つの単位を構成する。片方のページに一日分のテレビ番組予定表をのせ、片方のぺージに広告を載せる。
【実施例】
【０００７】
テレビ欄は、活字を大きく見やすくし、広告欄は多色刷りから二色にして見やすくする。また、曜日に合わせてページの色を対応すれば、より見やすくなる。
【産業上の利用可能性】
【０００８】
各市町村を対象に多数のユーザーに配布すれば、一般家庭の経費は削減されると共に、広告主にとっての宣伝効果は多大である。一冊のガイドブックに最低限、２週間のテレビ番組予定をいれる。
【図面の簡単な説明】
【０００９】
【図１】テレビガイドブックを示す斜視図
【００１０】
１  テレビ覧        
２  広告覧        
【図１】
0003132228.tif 000003
【手続補正書】
【提出日】平成19年3月23日(2007.3.23)
【手続補正１】
【補正対象書類名】実用新案登録請求の範囲
【補正対象項目名】全文
【補正方法】変更
【補正の内容】
【実用新案登録請求の範囲】
【請求項１】
テレビ番組予定表１４ページと、一般広告14ページを一冊にしたテレビガイドブックであって、左右２ページでの単位構成において、一方のページにテレビ番組表が、もう一方のページに広告内容が掲載され、一冊に一週間のテレビ番組予定表が収録されている事を特徴とする表紙と裏面、全ページ数で３２ページが合わさったテレビガイドブック。
(57)【要約】【課題】  刈払機で刈払い作業をする際、刈刃の下側に装着する保護カバーが地面に接触して磨耗してしまう不都合と、刈刃が地面に接触しないように地面から浮かせて作業しているので、作業者の負担になっている不都合、また、刈刃の下側に装着した保護カバーと刈刃の隙間から、刈払機の回転軸に草が巻き付くなどの不都合を解消すること。【解決手段】  保護カバーを大型にして、内部にベアリングを取り付け、刈刃の回転の影響を受けずに自由に回転できるようにし、また、保護カバーの内側に、回転軸への草の巻き付きを防止する金属板を取り付けることにより、この問題を解決する。【選択図】図１
0003132230.tif 000002
【実用新案登録請求の範囲】
【請求項１】
刈払機の刈刃の下側に取り付けて使用し、刈刃の回転に影響されずに自由に回転する接地安定盤。
【請求項２】
刈払機の刈刃の下側に取り付けて使用し、刈払機の回転軸への草巻き付き防止具の付いた接地安定盤。
【考案の詳細な説明】
【技術分野】
【０００１】本考案は、刈払機の刈刃の下側に取り付け、作業機能を向上させ、作業者の負担を軽減する、刈払機用自在接地安定盤に関するものである。
【背景技術】
【０００２】従来、刈払機の刈刃の下側に、刈刃を刈払機の回転軸に固定しているボルトやナットの磨耗や損傷を防ぐための保護カバーが取り付けられており、この保護カバーは、金属板を椀状に成形しただけのものであり、また、刈刃と固定されて一緒に回転するものだった。
【考案の開示】
【考案が解決しようとする課題】
【０００３】１）  しかしこれでは草刈作業中に保護カバーが地面に接地した状態で高速回転するので、早く磨耗してしまう。また作業者は、できるだけ地面に刈刃が接触しないように、地面から刈刃を浮かせた状態で作業しているので、作業者の負担になっている。
２）  また、草刈作業中に、刈刃と保護カバーの隙間から、刈払機の回転軸に草が巻き付いて回転が止まってしまうので、作業効率が悪く、刈払機にも負担がかかり、寿命を縮める。
【課題を解決するための手段】
【０００４】１）  従来の保護カバーより大型の接地安定盤を装着し、安定盤内側の中心部にベアリングを取り付ける。このベアリングを介して、刈払機の回転軸に取り付けることにより、接地安定盤は、刈刃の回転の影響を受けずに自由に回転する。
２）  接地安定盤の内側に、回転軸への草の巻き付きを防止する金属板を取り付ける。
【考案の効果】
【０００５】１）  従来の保護カバーに較べて、刈刃と固定されておらず、自由に回転するので、地面に接地した状態で草刈作業をしても、磨耗が少ない。また、作業者が接地安定盤を地面に接地した状態で草刈作業ができるので、作業者にかかる負担が大幅に軽減される。
２）  草刈作業中に、刈払機の回転軸に草が巻き付かないので、作業効率が良くなり、刈払機への負担も大幅に軽減され、寿命が延びる。
【考案を実施するための最良の形態】
【０００６】本考案に係る刈払機用自在接地安定盤１は、図１のように中心部の取り付けボルト２が地面に接触して損傷しないように、安定盤の中央部に平らな窪みが形成されている。安定盤内側の中心部にベアリング３が取り付けられており、接地安定盤は、このベアリングを介して刈払機の回転軸に取り付けられるので、刈刃の回転の影響を受けずに自由に回転する。
また、安定盤の内側には、回転軸への草の巻き付きを防止する金属板４が数枚取り付けられている。
安定盤の高さは、低過ぎると刈刃が地面に接触しやすくなり、高過ぎると草が短く刈れないので、適度な高さとする。
刈払機への取り付け方法は、接地安定盤中心部のボルト１本のみで容易に着脱可能な構造とする。
刈払機用の草刈刃・チップソー・樹脂ブレード草刈刃の、どの刈刃の下側にも装着でき、また図４のように、障害物から刈刃を保護するための刈刃保護盤の下側にも装着できる構造とする。
材質は、錆びにくく、薄い金属板で、長期間地面に接触しても磨耗しない強度のあるもので、一体成型が望ましい。
【図面の簡単な説明】
【０００７】
【図１】本考案に係る刈払機用自在接地安定盤の断面図である。
【図２】本考案に係る刈払機用自在接地安定盤の平面図である。
【図３】本考案に係る刈払機用自在接地安定盤を刈払機の刈刃の下側に装着した状態の断面図である。
【図４】本考案に係る刈払機用自在接地安定盤を刈刃保護盤の下側に装着した状態の断面図である。
【符号の説明】
【０００８】１    刈払機用自在接地安定盤
２    取り付けボルト
３    ベアリング
４    草巻き付き防止具
ａ    刈刃
ｂ    回転軸
ｃ    刈刃保護盤
【図１】
0003132230.tif 000003
【図２】
0003132230.tif 000004
【図３】
0003132230.tif 000005
【図４】
0003132230.tif 000006
【手続補正書】
【提出日】平成19年2月21日(2007.2.21)
【手続補正１】
【補正対象書類名】実用新案登録請求の範囲
【補正対象項目名】全文
【補正方法】変更
【補正の内容】
【実用新案登録請求の範囲】
【請求項１】
刈払機の刈刃の下側に取り付けて使用し、中心部に組み込まれたベアリングを介して刈払機の回転軸に取りつけられることにより、刈払機の刈刃の回転に影響されずに自由に回転する接地安定盤。
【請求項２】
刈刃と刈刃の下側に取り付けた接地安定盤との隙間から草が入り込み、刈払機の回転軸へ草が巻き付くことを防止するために、接地安定盤の内部に、回転軸の回転方向と直角の角度に、金属の板を取りつけたことを特徴とする請求項１記載の接地安定盤。